【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】
アナログ値を下限値から上限値にかけて円弧状に表示してなる表示部を有する目盛り盤と、
この目盛り盤の面に沿い回動するように支持される指針と、
交流の駆動信号を入力されて交流磁束を発生する界磁巻線を備えたステータと、このステータ内で回転可能に支持されて前記交流磁束に応じて回転するマグネットロータとを備えるステップモータと、
前記マグネットロータの回転に伴い減速回転しこれに応じて前記指針を回動する減速歯車手段と、
前記指針が前記アナログ値の前記下限値に対応する帰零位置に達したとき前記減速歯車手段の減速回転を停止するストッパ手段と、
アナログ入力に応じて前記駆動信号を前記界磁巻線に入力する駆動信号入力手段と、
前記指針を前記帰零位置に戻すとき交流の帰零信号を前記界磁巻線に入力する帰零信号入力手段とを備える車両用指示計器において、
前記帰零信号が、その前記界磁巻線への入力後、少なくとも二回目以後の零レベルに対応する位相角に進んだときの所定の電気角を予め記憶する記憶手段と、
前記帰零信号入力手段が前記帰零信号を前記界磁巻線に入力した後前記帰零信号の位相角が前記所定の電気角に進んだか否かにつき判定する第１判定手段と、
この第１判定手段が前記所定の電気角に進んだと判定したとき前記界磁巻線を前記帰零信号から遮断してこの遮断時に生ずる前記界磁巻線の誘起電圧が前記ストッパ手段による前記減速歯車手段の減速回転の停止を表す所定の低電圧以下か否かを判定する第２判定手段とを備えることを特徴とする車両用指示計器。
【請求項２】
アナログ値を下限値から上限値にかけて円弧状に表示してなる表示部を有する目盛り盤と、
この目盛り盤の面に沿い回動するように支持される指針と、
交流の駆動信号を入力されて交流磁束を発生する界磁巻線を備えたステータと、このステータ内で回転可能に支持されて前記交流磁束に応じて回転するマグネットロータとを備え、当該マグネットロータの回転に応じて前記指針を回動するステップモータと、
前記指針が前記アナログ値の前記下限値に対応する帰零位置に達したとき当該指針を停止させるストッパ手段と、
アナログ入力に応じて前記駆動信号を前記界磁巻線に入力する駆動信号入力手段と、
前記指針を前記帰零位置に戻すとき交流の帰零信号を前記界磁巻線に入力する帰零信号入力手段とを備える車両用指示計器において、
前記帰零信号が、その前記界磁巻線への入力後、少なくとも二回目以後の零レベルに対応する位相角に進んだときの所定の電気角を予め記憶する記憶手段と、
前記帰零信号入力手段が前記帰零信号を前記界磁巻線に入力した後前記帰零信号の位相角が前記所定の電気角に進んだか否かにつき判定する第１判定手段と、
この第１判定手段が前記所定の電気角に進んだと判定したとき前記界磁巻線を前記帰零信号から遮断してこの遮断時に生ずる前記界磁巻線の誘起電圧に基づき前記ストッパ手段による前記指針の停止を表す所定の低電圧か否かを判定する第２判定手段とを備えることを特徴とする車両用指示計器。
【請求項３】
マグネットロータと、アナログ入力に応じ交流の駆動信号を入力されて前記マグネットロータと電磁結合しながら当該マグネットロータを回転する界磁巻線とを有するステップモータと、
前記マグネットロータの回転に伴い回動する指針をその帰零位置に戻すとき、前記界磁巻線に交流の帰零信号を入力する帰零信号入力手段と、
前記指針が帰零位置に戻ったとき当該指針の回動を停止するストッパ手段とを備える車両用指示計器において、
前記帰零信号が、その前記界磁巻線への入力後、少なくとも二回目以後の零レベルに対応する位相角に進んだときの所定の電気角を予め記憶する記憶手段と、
前記帰零信号入力手段が前記帰零信号を前記界磁巻線に入力した後前記帰零信号の位相角が前記所定の電気角に進んだか否かにつき判定する第１判定手段と、
この第１判定手段が前記所定の電気角に進んだと判定したとき前記界磁巻線を前記帰零信号から遮断してこの遮断時に生ずる前記界磁巻線の誘起電圧に基づき前記ストッパ手段による前記指針の停止を表す所定の低電圧か否かを判定する第２判定手段とを備えることを特徴とする車両用指示計器。
【手続補正２】
【補正対象書類名】明細書
【補正対象項目名】０００７
【補正方法】変更
【補正の内容】
【０００７】
【課題を解決するための手段】
上記課題の解決にあたり、請求項１に記載の発明に係る車両用指示計器は、アナログ値を下限値から上限値にかけて円弧状に表示してなる表示部を有する目盛り盤と、この目盛り盤の面に沿い回動するように支持される指針と、交流の駆動信号を入力されて交流磁束を発生する界磁巻線を備えたステータと、このステータ内で回転可能に支持されて交流磁束に応じて回転するマグネットロータとを備えるステップモータと、マグネットロータの回転に伴い減速回転しこれに応じて指針を回動する減速歯車手段と、指針がアナログ値の下限値に対応する帰零位置に達したとき減速歯車手段の減速回転を停止するストッパ手段と、アナログ入力に応じて駆動信号を界磁巻線に入力する駆動信号入力手段と、指針を帰零位置に戻すとき交流の帰零信号を界磁巻線に入力する帰零信号入力手段とを備える。当該指示計器において、帰零信号が、その界磁巻線への入力後、少なくとも二回目以後の零レベルに対応する位相角に進んだときの所定の電気角を予め記憶する記憶手段と、帰零信号入力手段が帰零信号を界磁巻線に入力した後帰零信号の位相角が所定の電気角に進んだか否かにつき判定する第１判定手段と、この第１判定手段が所定の電気角に進んだと判定したとき界磁巻線を帰零信号から遮断してこの遮断時に生ずる界磁巻線の誘起電圧がストッパ手段による減速歯車手段の減速回転の停止を表す所定の低電圧以下か否かを判定する第２判定手段とを備えることを特徴とする。
【手続補正３】
【補正対象書類名】明細書
【補正対象項目名】００１１
【補正方法】変更
【補正の内容】
【００１１】
また、請求項２に記載の発明に係る車両用指示計器は、アナログ値を下限値から上限値にかけて円弧状に表示してなる表示部を有する目盛り盤と、この目盛り盤の面に沿い回動するように支持される指針と、交流の駆動信号を入力されて交流磁束を発生する界磁巻線を備えたステータと、このステータ内で回転可能に支持されて交流磁束に応じて回転するマグネットロータとを備え、当該マグネットロータの回転に応じて指針を回動するステップモータと、指針がアナログ値の下限値に対応する帰零位置に達したとき当該指針を停止させるストッパ手段と、アナログ入力に応じて駆動信号を界磁巻線に入力する駆動信号入力手段と、指針を帰零位置に戻すとき交流の帰零信号を界磁巻線に入力する帰零信号入力手段とを備える。当該指示計器において、帰零信号が、その界磁巻線への入力後、少なくとも二回目以後の零レベルに対応する位相角に進んだときの所定の電気角を予め記憶する記憶手段と、帰零信号入力手段が帰零信号を界磁巻線に入力した後帰零信号の位相角が所定の電気角に進んだか否かにつき判定する第１判定手段と、この第１判定手段が所定の電気角に進んだと判定したとき界磁巻線を帰零信号から遮断してこの遮断時に生ずる界磁巻線の誘起電圧に基づきストッパ手段による指針の停止を表す所定の低電圧か否かを判定する第２判定手段とを備えることを特徴とする。
【手続補正４】
【補正対象書類名】明細書
【補正対象項目名】００１３
【補正方法】変更
【補正の内容】
【００１３】
また、請求項３に記載の発明に係る車両用指示計器は、マグネットロータと、アナログ入力に応じ交流の駆動信号を入力されてマグネットロータと電磁結合しながら当該マグネットロータを回転する界磁巻線とを有するステップモータと、マグネットロータの回転に伴い回動する指針をその帰零位置に戻すとき、界磁巻線に交流の帰零信号を入力する帰零信号入力手段と、指針が帰零位置に戻ったとき当該指針の回動を停止するストッパ手段とを備える。当該指示計器において、帰零信号が、その界磁巻線への入力後、少なくとも二回目以後の零レベルに対応する位相角に進んだときの所定の電気角を予め記憶する記憶手段と、帰零信号入力手段が帰零信号を界磁巻線に入力した後帰零信号の位相角が所定の電気角に進んだか否かにつき判定する第１判定手段と、この第１判定手段が所定の電気角に進んだと判定したとき界磁巻線を帰零信号から遮断してこの遮断時に生ずる界磁巻線の誘起電圧に基づきストッパ手段による指針の停止を表す所定の低電圧か否かを判定する第２判定手段とを備えることを特徴とする。これによっても、請求項２に記載の発明と同様の作用効果を達成できる。
【手続補正５】
【補正対象書類名】明細書
【補正対象項目名】００１４
【補正方法】削除
【補正の内容】